(57)【特許請求の範囲】
【請求項１】
上下のフランジと、それらのフランジを結合するウェブとを有する縦断面形状が横転Ｈ字形の金属型材を複数本、平面十字形又は多角形に結合するとともに、前記金属型材の上下のフランジに鉄筋を貫通し、上方に延長させた状態で固定して構成され、前記鉄筋は前記フランジから上方に延長する部分に屋上工作物を固定するものであることを特徴とする屋上工作物設置用基礎枠。
【請求項２】
上下のフランジと、それらのフランジを結合するウェブとを有する縦断面形状が横転Ｈ字形の金属型材を複数本、平面十字形又は多角形に結合するとともに、上面に起立部が設けられた座金を、その座金の両側に備えられた折り返し部を前記金属型材の上部フランジに嵌合し固定して構成され、前記座金の起立部はこれに屋上工作物の支柱を嵌合し固定して前記屋上工作物を固定するものであることを特徴とする屋上工作物設置用基礎枠。
【請求項３】
金属型材は、上下のフランジと、それらのフランジを結合する中間に中空部を有する二重ウェブとを有する縦断面形状が横転Ｈ字形であり、平面多角形に結合された複数本の金属型材は上下方向に貫通し、かつ周囲が閉じられた少なくとも一つの空間部を形成しており、前記金属型材の前記空間部に面するウェブに前記空間部と前記中空部とを連通する排水用孔が形成され、前記中空部の端部は外部に開放されていることを特徴とする請求項１又は２に記載された屋上工作物設置用基礎枠。
【請求項４】
排水用孔には、ストレーナが嵌着されていることを特徴とする請求項３に記載された屋上工作物設置用基礎枠。
【請求項５】
金属型材の上部フランジに、基礎枠の近傍に立設される土留めパネルの転倒防止用係留部材の一端を結合する結合手段を設けたことを特徴とする請求項１，２，３又は４に記載された屋上工作物設置用基礎枠。
【発明の詳細な説明】
【０００１】
【発明の属する技術分野】
本発明は、屋上に工作物を設置するために用いられる基礎枠、とくに、屋上緑化システムの一環として使用するのに好適なものに関する。
【０００２】
【従来の技術】
土地不足のため緑地の少ない大都市においては、土地不足を補う方法として、建築物の利用率の低い屋上に各種の植物を植えて緑化する屋上緑化工事が、最近脚光を浴びてきている。
【０００３】
屋上緑化には、次のような３種の効果があるといわれている。
１）人に対する効果として、
・  潤いや安らぎ、園芸療法的効果、野鳥などの生物に対する愛情などの人の心に働きかける心情的効果。
・  騒音防止、屋上照り返し防止などの身近な環境改善効果。
・  人々が共同で緑の育成管理を行うことなどによるコミューニティ効果。
２）都市環境に対する効果として、
・  緑地からの蒸散によるヒートアイランドの改善効果。
・  炭酸ガス固定による地球温暖化防止効果。
・  窒素酸化物（NOx ）や硫黄酸化物（SOx ）の吸収による空気清浄効果。
・  緑視率や緑比率の向上による都市景観の向上。
３）建物に対する効果として、
・  屋上被覆による断熱・省エネルギー効果。
・  紫外線や熱収縮などから防水層を守る建物保全効果。
・  休憩施設や集客施設などとしての利用率の向上。
【０００４】
【発明が解決しようとする課題】
しかしながら、従来の屋上緑化システムは、（ａ）土留めパネルを結合してなるコンテナの底部に、屋上スラブを保護するための保護シート、植物の根の侵入を防止するための防根シート等を敷き、そのコンテナの中に人口土壌を収容し、その土壌の表面に、乾燥に強いセダム類、芝類、その他の地被植物を配置したものを、屋上の任意の位置に面状に配置し、又は直線や曲線に沿って羅列するもの（草本タイプ）、（ｂ）同様のコンテナの中の土壌に、風圧の影響を受けにくい低木又は中木を前記コンテナの中に植樹したものを直線や曲線に沿って羅列し、又は点線状に分散配置したもの（樹木タイプ）、あるいは（ｃ）上記草本タイプと樹木タイプを任意の庭園設計に従って組合わせたもの（複合タイプ）のいずれかであった。
【０００５】
（ａ）だけを用いる屋上は、平面的で景観が屋上緑化システム導入以前と余り異ならず、単なる緑化に過ぎないので、人の観賞に供しても、看者に魅力を感じさせないためすぐ飽きられてしまい、手入れもされずに荒廃することが少なくない。
また、（ｂ）又は（ｃ）の場合は、樹木により多少庭園らしい景観を呈するが、地上庭園と比較すると、低木などの比較的低い樹木だけであり、地上庭園に普通に存在する藤棚、あずまや、パーゴラ、トリレス、アーチ、デザインウォールなどの工作物がないため、庭園としての景観にまだ不足感があるので、上述した屋上緑化の効果のうち、心情的効果、コミューニティ効果、都市景観の向上の効果、休憩施設や集客施設などとしての利用率の向上が十分に発揮されないという問題がある。
【０００６】
地上工作物と同様の工作物を屋上に立設する場合は、屋上庭園に地上庭園と同様の景観が得られて、上記屋上緑化の効果が十分に発揮されるが、立設に当たっては、強風によって容易に転倒されないように、耐風圧強度を具備する必要がある。
【０００７】
しかしながら、土壌を収容する従来のコンテナは、単に土留めパネルを結合してなるものであるため、コンテナの中に背が高い工作物を設置すると、耐風圧強度が確保されない。従って、強風などにより転倒する恐れがあるので、従来は、工作物を立設することができなかった。
【０００８】
上記コンテナには関係なく、屋上スラブ又は防水層の上面に、モルタルや接着剤でブロック類を直接積み上げて工作物を立設する施工例が見られるが、防水層への悪影響や改修時の痕跡解消工事が必要になるなどの問題があるとともに、不特定多数の者が利用する公共的な施設では、例えば子供がブロックによじ登つた際にグラ付いたり、転落事故やブロックの落下事故などの恐れがある。
さらに、屋上手摺などの既設物にトリレス等の工作物を針金等で安易に固定する例もあるが、針金等の腐食や固定位置などにより耐風強度が不確実であり、何よりも管理者がメンテナンス時に手摺の外側に出てしまうことがあり、非常に危険である。
【０００９】
また、コンテナを用いる場合に使用される防根シートは、その本来の機能を果たすためには、土留めパネルの上端まで立ち上げることが望まれるが、実際の施工では、排水不足による根腐れを恐れて、立ち上げを省略しているのが現実である。そのため、樹木の根が伸びると、防水層を痛めてしまうという問題がある。
【００１０】
さらに、パーゴラ、デザインウォール等の背の高い工作物は受ける風力が大きいので、建物躯体を痛めることなくこれらを立設固定するためには、大きな基礎部を用いて、その荷重で安定させることが考えられるが、大きな基礎部は工作物の外観を悪くし、また、建物にも余分な荷重を掛けることとなる問題がある。
【００１１】
以上のような工作物の固定方法や荷重増加の問題があるため、これまでは、上述した草本タイプ（ａ）、樹木タイプ（ｂ）、あるいは複合タイプ（ｃ）のいずれかしか施工例がなく、地上庭園と同様な潤いと安らぎを与え、季節を感じさせる屋上オアシスとなり得るような屋上庭園の提供が待望されている。
【００１２】
本発明は、上記の点に鑑みてなされたものであり、その課題は、簡単な構造で十分な耐風圧強度をもって、かつ、容易に工作物を屋上に立設することを可能にする屋上工作物設置用基礎枠を提供し、もって、地上庭園と同様な潤いと安らぎを与え、季節を感じさせる屋上オアシスとなり得るような屋上庭園の実現を可能にすることにある。
【００１３】
【課題を解決するための手段】
上記課題を解決する請求項１の発明による屋上工作物設置用基礎枠（以下、単に基礎枠という。）は、次の要件を備えたことを特徴としている。すなわち、
（ａ）上下のフランジと、それらのフランジを結合するウェブとを有する縦断面形状が横転Ｈ字形の金属型材を複数本、平面十字形又は多角形に結合するとともに、
（ｂ）金属型材の上下のフランジに鉄筋を貫通し、上方に延長させた状態で固定して構成され、
（ｃ）前記鉄筋は、フランジから上方に延長する部分に屋上工作物を固定するものであること。
上記構成により、基礎枠は縦断面形状が横転Ｈ字形の金属型材を複数本、平面十字形又は多角形に結合して構成されているので、屋上への静置安定性が高い。また、基礎枠の金属型材の上下のフランジに貫通された鉄筋の上方に延長する部分に屋上工作物が固定されるので、屋上工作物は十分な耐風圧強度をもって立設され、工作物は基礎枠に高い安定性をもって固定される。従って、屋上に背の高い工作物を高い安全性をもって立設することができ、地上庭園と同様の潤いと安らぎのある屋上庭園を構築することができる。
【００１４】
請求項２の発明は、次の要件を備えたことを特徴としている。すなわち、
（ａ）上下のフランジと、それらのフランジを結合するウェブとを有する縦断面形状が横転Ｈ字形の金属型材を複数本、平面十字形又は多角形に結合するとともに、
（ｄ）上面に起立部が設けられた座金を、その座金の両側に備えられた折り返し部を金属型材の上部フランジに嵌合し固定して構成され、
（ｅ）前記座金の起立部は、これに屋上工作物の支柱を嵌合し固定して前記屋上工作物を固定するものであること。
金属型材は、アルミニウム材（正確にはアルミニウム合金型材。本明細書において全て同じ。）であることが最も望ましい。アルミニウム材は、鋼材や鉄材の比重の約三分の一と軽量である。しかも、耐蝕性は鋼材や鉄材よりも優れている。従って、軽量化を求められる屋上庭園用素材として、また、酸性雨が多い都市の屋上庭園用素材として最適である。
【００１５】
請求項３の発明は、金属型材が、上下のフランジと、それらのフランジを結合する中間に中空部を有する二重ウェブとを有する縦断面形状が横転Ｈ字形であり、平面多角形に結合された複数本の金属型材は上下方向に貫通し、かつ周囲が閉じられた少なくとも一つの空間部を形成しており、前記金属型材の前記空間部に面するウェブに前記空間部と前記中空部とを連通する排水用孔が形成され、前記中空部の端部は外部に開放されていることを特徴としている。
上記構成により、基礎枠を屋上に静置した時は、基礎枠の空間部が上方に開口し周囲が閉じられた凹部を形成する。その凹部は、保護シート及び防根シートをこの順序で敷いた後、人工土壌を収容して、これに植物を植えることができるが、防根シートの前記排水孔に連通する水抜き孔を設ければ、防根シートの周辺を基礎枠の上端部まで立ち上げても、凹部内の余分な水は防根シートの水抜き孔と金属型材の排水孔から中空部に流入し、金属型材の端部から外部に排水される。従って、排水不足による根腐れを起こす恐れがない。万一、植物の根が排水孔内に伸びても、中空部内で包囲されるので、屋上スラブに被害を及ぼすことがない。
【００１６】
請求項４の発明は、金属型材の排水用孔が、これにストレーナを嵌着できる形状に形成されていることを特徴としている。
上記構成により、基礎枠の凹部内から排水用孔に向かって流れる人工土壌や木の葉や地中生物などは、ストレーナに捕捉されるので、基礎枠の中空部に流入して排水性を阻害することが防止される。
【００１７】
請求項５の発明は、金属型材の上部フランジに、コンテナの土留めパネルの転倒防止用係留部材の一端を結合する結合手段を設けたことを特徴としている。
上記構成により、基礎枠の近傍にコンテナが設置される場合は、基礎枠の結合手段にそのコンテナの土留めパネルの転倒防止用係留部材の一端を結合することができる。従って、土留めパネルが土圧を受けて変形することや、土留めパネルの上に人が腰を掛けたり、子供などが登ったりして土留めパネルが転倒することが確実に防止される。
【００１８】
上記金属型材は、縦横の寸法が１１０ｍｍ前後であることが望ましい。
上記寸法により、屋上庭園の浅い植え込みの部の中に基礎枠が設置された場合にも、金属型材は露見されず、かつ、強度とサイズの適合性（バランス）は最良である。
【００１９】
【発明の実施の形態】
次に、本発明の実施の形態について図面を参照しながら説明する。
図１は本発明に係る基礎枠を用いて立設された一つの屋上工作物を有する屋上庭園の一例の斜視図、図２は図１の土留めパネルの部分の縦断面図、図３は図１において用いられている基礎枠を抽出して示す斜視図、図４は基礎枠の構成部材である金属型材の断面形状及び工作物の固定手段の一例を示す斜視図、図５は図１の工作物の基礎枠に対する固定状態を示す断面図、図６は基礎枠の構成部材である金属型材を複数本結合する場合の他の結合パターンを示す平面図である。
図７は基礎枠に対する支柱の固定構造の他の例を示す要部斜視図、図８は基礎枠に排水機能を備えた場合の構成を示す斜視図、図９は基礎枠を土留めパネルの固定に利用した一例を示す説明図、図１０は他の例を示す説明図である。
【００２０】
図１は屋上の一つの入り隅部に形成された屋上庭園の一例を示す。この屋上庭園は、屋上スラブ１の上面に複数個の土留めパネル２を立設固定して、その土留めパネル２と屋上パラペット３により閉鎖されたコンテナが構成され、そのコンテナの中に収容された人工土壌４に樹木５ａや草本５ｂなどが植栽され、さらに、比較的大きな高さを有する工作物の一例として、デザインウォール６が立設されている。
【００２１】
パラペット３を土壌収容のためのコンテナの一部を構成するために使用できない場合は、土留めパネル２のみを完結された収容凹部が形成されるように連結して、閉鎖されたコンテナが構成される。土留めパネル２を連結して閉鎖されたコンテナを構成する場合は、土留めパネル２同志が引き合って転倒防止性能を備えるが、図１の例のように、一部の土留めパネル２が開放状態で屋上スラブに静置される場合は、転倒防止のために、土留めパネル２と屋上スラブ１との間に図２に例示するような既知の転倒防止用係留手段７が設けられる。
すなわち、この転倒防止用係留手段７は、図２に例示するように、屋上スラブ１にねじ込んで固定したアイボルト７１と、土留めパネル２の上部に設けた固定金具７２の間にワイヤー７３をターンバックル７４により張設してなっている。
【００２２】
なお、屋上スラブ１の上面には、図２に示すように、土留めパネル２を配設する前に屋上スラブ１の上面にスラブ１を保護するための保護シート８と、防根シート９が敷設される。
【００２３】
さて、デザインウォール６は、パーゴラ、あずまや、トリレスアーチ等とともに、比較的大きい高さを有する工作物の一つであるが、本発明は、このような背が高い工作物を、屋上においてとくに強く吹き付ける風により転倒されることなく、十分な耐風圧強度をもって設置することを可能にするための基礎枠を提供するものである。
【００２４】
この基礎枠は、図３に一例１０Ａを示すように、複数本の金属型材１１ａ，１１ｂ、好ましくはアルミニウム型材を、風力による転倒傾向に対して抵抗体となるような形態（パターン）をもって結合してなっている。具体的なパターンは、立設される工作物の形態、高さ及び重心位置などにより決定される。
【００２５】
金属型材１１ａ，１１ｂは同一形状の型材１１からなり、図４に良く示されているように、上下のフランジｆ１，ｆ２の間に二つのウェブ（ダブルウェブ）ｗ１，ｗ２を一体に有し、ウェブｗ１，ｗ２の間に中空部ｈを有して、縦断面形状がダブルウェブを有する横転Ｈ字形に形成されている。
【００２６】
図１に示すデザインウォール６は、その底面の形状がほぼ一文字状であるので、基礎枠１０Ａは、デザインウォール６の底部を固定するための第１の金属型材１１ａを有する。また、この工作物は、その正面に直角な方向から強風を受けた場合に最も大きな転倒力が作用するので、基礎枠１０Ａはその転倒力に対して抵抗体となるため、第１の金属型材１１ａの長手方向中間部においてその金属型材に直角な２方向に所要距離延出する第２の金属型材１１ｂを有する。従って、この例の基礎枠１０Ａは、図３に示すように、２本又は３本の金属型材１１ａ，１１ｂ，１１ｂ（特定の金属型材を指称しない時は、符号１１を用いる。）をほぼ十字架の形に溶接その他の方法により結合してなっている。
【００２７】
工作物が図１及び図３のデザインウォール６である場合の基礎枠１０Ａに対する固定は、図４に示すように、金属型材１１の上下のフランジｆ１，ｆ２にその中間位置で中空部ｈを貫通するように鉄筋挿通孔ｐ１，ｐ２を形成し、その鉄筋挿通孔ｐ１，ｐ２に下側から、一例として長いボルトを用いる鉄筋１２を挿通し、上部フランジｆ１の上側において緩み止めナット１３を締め付けて鉄筋１２を金属型材１１に固定する。図４において、１４はワッシャである。鉄筋１２は、金属型材１１の工作物（６）をしっかり固定するに必要な位置に複数本固定される。
【００２８】
このように鉄筋１２を固定された基礎枠１０Ａは、図５に示すように、屋上スラブ１の上面に保護シート１５、防根シート１６を敷設した後、その上に静置される。図５の１７は、金属型材１１ａの下部フランジｆ２に接着された、又は下部フランジｆ２と防根シート１６の間に静置して介在されたパッキンである。そして、上部フランジｆ１の上面にモルタル１８を打設した後、上部フランジｆ１から上方に伸びる鉄筋１２をブロック１９の孔に挿通する度に、そのブロックの孔と上面にモルタル１８´を充填するブロック組積工事を周知の方法により行って、デザインウォール６が作られる。ブロック１９の表面にはタイル又はレンガタイル等を貼る場合もある。ブロックに代えてレンガ等を組積しても良い。
【００２９】
上記のようにしてデザインウォール６が養生・硬化して完成した後は、基礎枠１０Ａ及び最下端部のブロック等が隠蔽されるまで人口土壌４がコンテナ内に収容されるため、基礎枠１０Ａは屋上庭園利用者には見えない（図１参照）。
【００３０】
図３に示された基礎枠１０Ａは、複数本の金属型材１１ａ，１１ｂの結合パターンが十字架状であったが、上述したように、金属型材の結合パターンは、工作物の種類及びその形状並びに人口土壌を収容するコンテナの配置パターン等に応じて、任意の形状としても良い。
【００３１】
図６は、屋上庭園に、あずまや、パーゴラその他の水平面積が比較的大きい工作物を立設し、その手前側の左右両側に花壇などの植え込み部を配置する場合に好適な基礎枠の一例を示す。
すなわち、１０Ｂは５本の金属型材１１を五角形の枠状に結合してなるコーナ基礎枠、１０Ｃ1 は４本の金属型材を三角形近似の四角形の枠状に結合してなる左サイド基礎枠、１０Ｃ2 は同じ４本の金属型材を左サイド基礎枠と左右対称形の四角形の枠状に結合してなる右サイド基礎枠である。そして、コーナ基礎枠１０Ｂの正六角形の頂点に対応する位置（Ｐ）において、各金属型材１１のフランジにあずまやなどの工作物の支柱が固定される。
【００３２】
図７は、上記金属型材１１の上部フランジｆ１に対して支柱２０を固定する場合の構造の一例を示す。すなわち、左右両端部に折り返し部２２を有する、好ましくはステンレス製の座金２１を、その折り返し部２２に金属型材１１の上部フランジｆ１の両端部を嵌合して所要の位置まで摺動し、その座金に設けてある孔２３からボルト（図示省略）をねじ込んで固定し、その座金２１に設けた起立部２４を工作物の支柱２６の下端部に差し込み、支柱の下端部に設けてある孔２７から起立部２４に設けてある孔２５にボルト２８をねじ込むことにより、支柱２６を容易に固定することができる。しかも、基礎枠１０Ｂは適当な重さを有して耐風強度を有するので、工作物を転倒の恐れがない状態で、確実に安定して立設することができる。
【００３３】
図６において、２Ｃは上記３個の基礎枠１０Ｂ，１０Ｃ1 ，１０Ｃ2 を囲むように設置されたコンテナである。
【００３４】
図６の左右のサイド基礎枠１０Ｃ1 ，１０Ｃ2 は、周囲が閉じられた凹部を有しており、これに人口土壌が収容されると、草本又は樹木が植栽される植え込み部となる。植え込み部とされた場合は、サイド基礎枠１０Ｃ1 ，１０Ｃ2 の中には灌水される。図５にも示されたように、本発明による金属型材で構成される基礎枠の底面には、パッキン１７が装着される。従って、基礎枠が複数個の金属型材を完結する枠状のパターンに結合してなる場合は、降雨又は灌水による余分な水は、植物の根腐れ防止のため、基礎枠１０Ｃ1 ，１０Ｃ2 の外に排水する必要がある。
【００３５】
本発明の好ましい実施の形態においては、図８に例示するように、金属型材１１のダブルウェブｗ１，ｗ２のうち、植え込み部側のウェブｗ１に排水孔２９を設けてあり、その排水孔から流出する水は、金属型材１１の中空部ｈを樋として、その金属型材の端部まで流れ、中空部ｈの端部開口から屋上天端に設けてある排水施設に排水されるようにしてある。また、防根シート１６には、その排水孔２９に合致する位置に水抜孔３０が形成されていて、上記余分な水はその防根シートの水抜孔３０及び金属型材の排水孔２９から中空部ｈを通って基礎枠１０Ｃの外側に排出される。
そして、従来は、根腐れを恐れて、防根シート１６の端縁を立ち上げなかったため、防根シートの効用が完全に発揮されなかったが、本発明によれば、基礎枠１０及び防根シート１６に排水機能（３０，２９，ｈ）を備えたことにより、防根シートの端縁を金属型材１１の上部フランジｆ１まで立ち上げることができることとなったので、防根シートの本来の機能が十分発揮されるようになった。
【００３６】
そして、基礎枠の金属型材１１をアルミニウム製にした場合は、鋼材や鉄材に比べ、軽量であるとともに耐蝕性に富んでいる。屋上には重量物の設置はできる限り避けなければならない。行政補助を付けて屋上緑化が推奨されているとはいえ、屋上緑化工事を施工する際に鉄筋コンクリート等の増し打ちなどの補強工事を行うことはコストがかかり、好ましくない。しかし、本発明は、上記のように必要な場所にのみ、軽量でしかもフランジにより重量を屋上スラブに広く分散するアルミニウム製ダブルウェブのＨ型金属型材からなる基礎枠を屋上スラブ上に静置するので、軽量化、躯体に対する穿孔工事不要、耐風強度、雨水及び灌水に対する耐蝕性など多くの点で優れている。
【００３７】
ウェブの排水孔２９及び防根シート１６の水抜孔３０は、図８に示すように、これにストレーナ３１を嵌着することができる形状と大きさにすれば、これらにストレーナ３１を嵌着して、植え込み部の植物の根やミミズ等の地中生物や人口土壌などが基礎枠の中空部に侵入することを防止することができる。万一、植物の細根が排水孔２９の中に侵入した場合でも、基礎枠の中空部ｈは密閉されているので、屋上スラブに被害が及ぶことか防止される。
【００３８】
上述のように、本発明による基礎枠は、多くの場合、コンテナの土留めパネル２，２Ｃの内側に設置される。それも、土留めパネルに接近した位置に設置される場合がある。そして、基礎枠を構成する金属型材１１は、フランジｆ１，ｆ２を有して、これに各種の部材を結合可能である。この点を利用して、図９に例示するように、土留めパネル２に固定部材３２を取り付けるとともに、その固定部材にワイヤ、連結棒などの締結部材３３の一端部を結合し、その他端部を金属型材１１のフランジｆ１に、例えば、鉄筋挿通孔ｐ１（図４参照）にねじ込んだ固定ボルト３４により固定することにより、土留めパネル２を土圧その他の外力により容易に転倒されることがないように確実に固定することができる。  このように、この実施の形態によれば、工作物設置用基礎枠１０を、工作物の立設に差支えのない部分において、土留めパネルの固定に利用することもでき、従来行われていた屋上スラブに対する穿孔及び係留手段の使用が不要になる。
【００３９】
図１０は、もう一つの締結部材３５で内側の土留めパネル２2 を締結することにより、一つの基礎枠１０をさらに、外側の土留めパネル２1 と内側の一段高い土留めパネル２2 の転倒防止に利用した例を示している。この実施の形態によれば、従来のように、各土留めパネルごとに転倒防止用係留手段を設置する必要がなく、緑化工事の施工コストの節減効果が得られる。
【００４０】
【発明の効果】
上述のように、請求項１の発明によれば、基礎枠は上下のフランジと、それらのフランジを結合するウェブとを有する縦断面形状が横転Ｈ字形の金属型材を複数本、平面十字形又は多角形に結合して構成されているので、基礎枠の屋上への静置安定性が高い。また、金属型材の上下のフランジに貫通された鉄筋の上方に延長する部分に屋上工作物が固定されるので、屋上工作物は十分な耐風圧強度をもって立設され、工作物は基礎枠に高い安定性をもって固定される。従って、屋上に背の高い工作物を高い安全性をもって立設することができ、地上庭園と同様の潤いと安らぎのある屋上庭園を構築することができる。
【００４１】
請求項２の発明によれば、基礎枠は上下のフランジと、それらのフランジを結合するウェブとを有する縦断面形状が横転Ｈ字形の金属型材を複数本、平面十字形又は多角形に結合するとともに、上面に起立部が設けられた座金を、その座金の両側に備えられた折り返し部を金属型材の上部フランジに嵌合し固定して構成されているので、基礎枠の屋上への静置安定性が高い。また、座金の起立部に屋上工作物の支柱を嵌合し固定して屋上工作物が固定されので、屋上工作物は簡単にかつ十分な耐風圧強度をもって立設され、工作物は基礎枠に高い安定性をもって固定される。
【００４２】
請求項３の発明によれば、金属型材は縦断面形状が二重ウェブの間に中空部を有する横転Ｈ字形であり、複数本の金属型材は周囲が閉じられた少なくとも一つの凹部を形成するように結合されており、その凹部に面する金属型材の少なくとも一方のウェブに前記凹部と中空部とを連通する排水用孔が形成され、同金属型材の中空部の端部は外部に開放されているので、基礎枠の凹部が植え込み部に用いられる場合は、凹部内の余分な水は金属型材の排水孔から中空部に流入し、金属型材の端部から外部に排水されるため、良好な排水性がえられる。そして、万一、植物の根が排水孔内に伸びても、中空部内で包囲されるので、屋上スラブに被害を及ぼすことがない。
【００４３】
請求項４の発明によれば、金属型材の排水用孔が、これにストレーナを嵌着できる形状に形成されているので、基礎枠の凹部内から排水用孔に向かって流れる人工土壌や木の葉や枯れ草、地中生物などが基礎枠の中空部に流入して、排水性を阻害することが防止される。
【００４４】
請求項５の発明によれば、金属型材の上部フランジに、コンテナの土留めパネルの転倒防止用係留部材の一端を結合する結合手段を設けたので、基礎枠の近傍にコンテナが設置される場合は、基礎枠の結合手段にそのコンテナの土留めパネルの転倒防止用係留部材の一端を結合することができ、従って、土留めパネルが土圧、人の加える荷重、子供などの搭乗などにより転倒することが確実に防止される。
【図面の簡単な説明】
【図１】本発明に係る基礎枠を用いて立設された一つの屋上工作物を有する屋上庭園の一例の斜視図。
【図２】図１の土留めパネルの係留手段の一例を示す縦断面図。
【図３】図１において用いられている基礎枠を抽出して示す斜視図。
【図４】基礎枠の構成部材である金属形材の断面形状及び工作物の固定手段の一例を示す斜視図。
【図５】図１の工作物の基礎枠に対する固定構造の一例を示す断面図。
【図６】基礎枠の構成部材である金属形材を複数本結合する場合の他の結合パターンを示す平面図。
【図７】工作物の基礎枠に対する固定構造の他の例を示す要部斜視図。
【図８】基礎枠に排水機能を備えた場合の構成を示す斜視図。
【図９】基礎枠を土留めパネルの固定に利用した一例を示す説明図。
【図１０】図１０は同じく他の例を示す説明図。
【符号の説明】
１    屋上スラブ
２    土留めパネル
３    パラペット
４    人工土壌
５ａ  樹木
５ｂ  草本
６    工作物（デザインウォール）
１０，１０Ａ，１０Ｃ１，１０Ｃ2      基礎枠
１１，１１ａ，１１ｂ                  金属型材
ｆ１，ｆ２      フランジ
ｗ１，ｗ２      ウェブ
ｈ              中空部
１２  鉄筋又はボルト
１５  保護シート
１６  防根シート
２９  排水孔
３０  水抜孔
３１  ストレーナ
【図１】
0003995950.tif 000002
【図２】
0003995950.tif 000003
【図３】
0003995950.tif 000004
【図４】
0003995950.tif 000005
【図５】
0003995950.tif 000006
【図６】
0003995950.tif 000007
【図７】
0003995950.tif 000008
【図８】
0003995950.tif 000009
【図９】
0003995950.tif 000010
【図１０】
0003995950.tif 000011